(57)【要約】【課題】  本発明の課題は、ビーズ状の細胞吸着材料を充填した血液処理用カラムにおいて、ビーズの径を考慮したコンパクトな細胞吸着カラムを実現させることである。【解決手段】  下記式にて表される、ビーズ状の細胞吸着材料が容器に充填された炎症性疾患処置カラム。０．１≦２Ｒ＜２．０Ｎ≧４９６５０／Ｒ２２２．１≦Ｖ≦３１５．５ここで、Ｎ：容器に充填されたビーズ状の細胞吸着材料の個数（個）、Ｒ：ビーズ状の細胞吸着材料の半径（ｍｍ）、Ｖ：ビーズ状の細胞吸着材料が充填される容器の容量（ｃｍ３）【選択図】なし【特許請求の範囲】
【請求項１】
下記式にて表される、ビーズ状の細胞吸着材料が容器に充填されたことを特徴とする炎症性疾患処置カラム。
０．１≦２Ｒ＜２．０
Ｎ≧４９６５０／Ｒ２
２２．１≦Ｖ≦３１５．５
ここで、Ｎ：容器に充填されたビーズ状の細胞吸着材料の個数（個）、Ｒ：ビーズ状の細胞吸着材料の半径（ｍｍ）、Ｖ：ビーズ状の細胞吸着材料が充填される容器の容量（ｃｍ３）
【請求項２】
該細胞が顆粒球であることを特徴とする請求項１記載の炎症性疾患処置カラム。
【請求項３】
該顆粒球の吸着率が３０％以上であることを特徴とする請求項２記載の炎症性疾患処置カラム。
【発明の詳細な説明】
【技術分野】
【０００１】
本発明は、血液中の白血球、特に顆粒球などの細胞を効率的に捕捉する炎症性疾患処置カラムの容量に関する。
【背景技術】
【０００２】
近年、全身性エリトマトーデス、悪性関節リウマチ、多発性硬化症、潰瘍性大腸炎、クローン病等の自己免疫性疾患、白血病、癌、炎症性疾患などの治療、又は移植前の免疫抑制の目的で白血球を除去する技術が進歩してきている。これらの技術として様々な炎症性疾患処置カラムが研究され、例えば白血球除去や顆粒球除去を目的としたカラム（特許文献１，２）、サイトカイン吸着を目的としたカラム（特許文献３，４）、白血球と毒素を同時に吸着することを目的としたカラム（特許文献５）等がそれぞれ開発されてきた。これらは、通常、カラム内部にそれぞれ目的とする物質を除去・吸着するための濾過材または吸着担体を有している。これら濾過材または吸着担体としてはこれまで様々な物質、形状のものが用いられてきた。例えば、ポリエステル不織布からなる白血球除去担体（特許文献１）では、複数の繊維径からなる繊維を混合した不織布を作成し、血球の目詰まり解消のため改良が施されている。また、直径２ｍｍ程度の酢酸セルロースビーズからなる吸着担体（特許文献２）も開発されており、こちらは補体を活性化させることで顆粒球を選択的に吸着させることが可能である。現在のところ、細胞吸着材料としては繊維（不織布）あるいはビーズが主だっているが、細胞吸着材料の製造あるいはカラムへの充填という観点に立つと、ビーズの方が繊維（不織布）に比べ製造も容易であり充填も簡便である。またビーズにおいては選択的に細胞を吸着させることも可能である（特許文献２）。しかしこのビーズを充填したカラムにおいて容量を出来うるかぎり縮小させた効率のよいカラムついての検討は行われていない。
【特許文献１】特開昭６０−１９３４６８号公報
【特許文献２】特開平５−１６８７０６号公報
【特許文献３】特開平１０−２２５５１５号公報
【特許文献４】特開平１２−２３７５８５号公報
【特許文献５】特開平１４−１１３０９７号公報
【発明の開示】
【発明が解決しようとする課題】
【０００３】
本発明の課題は、ビーズ状の細胞吸着材料を充填した血液処理用カラムにおいて、ビーズの径を考慮したコンパクトな細胞吸着カラムを実現させることである。
【課題を解決するための手段】
【０００４】
１．下記式にて表される、ビーズ状の細胞吸着材料が容器に充填された炎症性疾患処置カラム。
０．１≦２Ｒ＜２．０
Ｎ≧４９６５０／Ｒ２
２２．１≦Ｖ≦３１５．５
ここで、Ｎ：容器に充填されたビーズ状の細胞吸着材料の個数（個）、Ｒ：ビーズ状の細胞吸着材料の半径（ｍｍ）、Ｖ：ビーズ状の細胞吸着材料が充填される容器の容量（ｃｍ３）
２．該細胞が顆粒球であることを特徴とする前記１記載の炎症性疾患処置カラム。
３．該顆粒球の吸着率が３０％以上である前記２記載の炎症性疾患処置カラム。
【発明の効果】
【０００５】
本発明により、細胞吸着材料を充填した血液処理用カラムにおいて、該細胞吸着材料の充填量を考慮したコンパクトな細胞吸着カラムを実現させることが可能である。
【発明を実施するための最良の形態】
【０００６】
本発明で用いる細胞吸着材料の材質としては、血球にダメージを与えにくいものであれば特に限定はなく各種のものを用いることができ、有機高分子、無機高分子、金属等が挙げられる。その中でも有機高分子は、切断等の加工性に優れるため好ましい素材である。有機高分子としては、例えば、ポリウレタン、ポリアクリロニトリル、ポリビニルアルコール、ポリビニルアセタール、ポリエステル、ポリアミド、ポリスチレン、ポリスルホン、セルロース、セルロースアセテート、ポリエチレン、ポリプロピレン、ポリフッ化ビニル、ポリフッ化ビニリデン、ポリトリフルオロクロロビニル、フッ化ビニリデン−テトラフルオロエチレン共重合体、ポリエーテルスルホン、ポリ（メタ）アクリレート、ブタジエン−アクリロニトリルコポリマー、ポリエーテル−ポリアミドブロツクコポリマー、エチレン−ビニルアルコールコポリマー等が挙げられるが上記例示に限定されるものではない。
【０００７】
細胞吸着材料として用いるビーズの径２Ｒは０．１ｍｍ以上２．０ｍｍ未満である。ここでＲとは、ビーズ状の細胞吸着材料の半径（ｍｍ）である。径が０．１ｍｍよりも小さいと血球との分別が困難になり、また血液等の被処理液体を流したときの圧力損失の増加の懸念も生じる。また、２．０ｍｍ以上であると、３０％以上の細胞吸着率を達成するためには容量の大きなカラムが必要となるため、治療に多くの血液が必要となり患者の負担が大きくなる。ここでいう径は、真球の場合、真球でない場合を含め、任意に選んだ１０個のビーズについて、任意の方向の径を１回／個計測したときの平均値を指す。
【０００８】
本発明において、ビーズは吸着対象の細胞に対する吸着機能を有するものであるため、例えば、ビーズの表面は吸着対象の細胞に対して特異的結合親和性を有する認識分子により修飾されることが好ましい態様として有り得る。これらの認識分子の例として、抗体、ペプチド、タンパク質、核酸、糖鎖、糖タンパク質、低分子化合物などがあげられる。吸着対象が白血球である場合はE-セレクチンを導入することが考えられる。ただし上記認識分子は例としてあげたものであり、これらに限定するものではない。ここでいう吸着とは、該細胞が該細胞吸着材料に吸着する場合の他、付着して容易に剥離しない状態のものを含めるものとする。
【０００９】
基材表面への認識分子の修飾においては、基材表面に認識分子を直接結合あるいは活性基を介して結合することが考えられる。修飾は基材から認識分子または活性基が剥離しない結合状態であれば、いずれの結合状態であってもよい。結合状態としては、共有結合、イオン結合、ファンデルワールス結合、水素結合または疎水結合の単独またはそれら複数の合力が挙げられる。認識分子の流出を抑制する点から、共有結合、疎水結合がより好ましく、最も好ましくは共有結合である。結合反応は、置換反応、付加反応、縮合反応、重合反応または開環反応等が挙げられる。
【００１０】
本発明に係る炎症性疾患処理カラムにおいて、該細胞のひとつとして白血球が挙げられる。白血球には、顆粒球、単球、リンパ球があり、本発明においては、人体に有用なリンパ球は吸着対象物質ではない。顆粒球である場合、被処理液体を流したときの吸着率は３０％以上であることが好ましい。これは炎症性疾患においては、顆粒球が過剰に増加し、活性酸素などを放出し、組織を破壊する負の効果があることが知られているため、血液中から除くことが好ましいことに因る。吸着率の測定法は、吸着材料を円筒状カラム（内径０．８ｃｍ、長さ１ｃｍ〜１４．３ｃｍ）に充填し、ＬＰＳ（リポ多糖）を７０Ｕ／ｍＬになるよう添加した健常人血液を、３７℃、１時間、血流量０．６８ｍＬ／ｍｉｎで下から上の向きに室温で通過させた後、血球計算機でカラム通過開始から０分後の血液（吸着前液）および６０分後の血液（回収液）に残存する顆粒球数を測定し、次式を用いて算出する。
顆粒球吸着率（％）＝
｛（吸着前液中の顆粒球数）−（回収液中の顆粒球数）｝／（吸着前液中の顆粒球数）
白血球数の計測は血球計測用に販売されている装置であれば特に指定はなく、例を挙げるならば多項目自動血球分析装置ＸＴ−１８００ｉ（シスメックス株式会社）等を用いることができる。
【００１１】
本発明において、除去されるべき細胞は対象とする炎症性疾患の病態に近いものであることが好ましい。特に顆粒球を吸着の対象とする場合は、上記のようにＬＰＳを添加した血液を用いてその吸着性能を評価することが好ましい。これは、ＬＰＳは、ＬＰＳ分子のリピドＡ部分の強い炎症性および免疫賦活特性のために、非常に劇的な生物学的作用を有し、ＬＰＳは概して、グラム陰性菌感染および他の病気の病因に大いに寄与すると考えられているためである。従って、ＬＰＳを健常人血液に添加することで血液を炎症性疾患患者のものに近づけることができる。
【００１２】
本発明においては、上記範囲の径を有するビーズ状の細胞吸着材料を用いて、顆粒球の吸着率が３０％以上となる機能を達成するために鋭意検討した結果、ビーズ状細胞吸着材料の半径Ｒ（ｍｍ）と容器に充填されたビーズ状の細胞吸着材料の個数Ｎ（個）の関係が以下のように表されることを見出した。
【００１３】
Ｎ≧４９６５０／Ｒ２
またこの式から導き出された個数を納めることのできる充填容器の容量Ｖ（ｃｍ３）は、径が０．１以上２．０ｍｍ未満のときに必要な容器の容量であり、２２．１ｃｍ３以上３１５．５ｃｍ３以下となる。ここでいう容量Ｖとは、カラムにおける該細胞吸着材料が充填されている部分の容量を指すものであり、上下に存在するヘッダー部分等の付属容器、機器の体積を含むものではない。
【００１４】
本発明のカラムは、流入口と流出口を有する容器からなり、その容器内に細胞吸着用の吸着材料が充填されており、炎症性疾患処置に用いるものである。
【００１５】
これらの流入口と流出口とは、体外循環して用いる炎症性疾患処置カラムに体液を流入・流出させる手段であり、体外循環の治療に使用するとき循環系の回路に接続される部位になる。形状は特に限定されるものではないが、体外循環用の回路を形成するチューブに接続できる形態であることが望ましい。さらに好ましくは、コネクター形状を有し、回路チューブとの着脱が容易になっていることが望ましい。
【００１６】
また、かかる容器の形状は、被処理液体の誘導作用を有するものであれば特に限定されるものではない。例えば、断面形状が円形、四角形、三角形、その他の多角形の断面を有するパイプやそれを組み合わせた形状のパイプなどを挙げることができる。流路方向の形状としては、被処理液体の滞留などを生じないようにするために直線状に真っ直ぐなものが好ましい。
【００１７】
本発明に係るカラムは、全身性エリトマトーデス、悪性関節リウマチ、多発性硬化症、潰瘍性大腸炎、クローン病等の自己免疫性疾患、白血病、癌、炎症性疾患などの治療、又は移植前の免疫抑制の目的で白血球を除去する炎症性疾患処置カラムとして有用に用いることが可能である。
【実施例】
【００１８】
以下、実験例により本発明をさらに具体的に説明するが、発明の内容が実施例に限定されるものではない。
【００１９】
以下において血液中の血球数の測定は、多項目自動血球分析装置ＸＴ−１８００ｉ（シスメックス株式会社）を用いて行った。ここで、顆粒球数は、顆粒球の大部分を占める好中球数を以て計算した。顆粒球吸着率は以下の式により算出した。
顆粒球吸着率（％）＝
｛（吸着前液中の顆粒球数）−（回収液中の顆粒球数）｝／（吸着前液中の顆粒球数）
ここで吸着前液とはカラム通過開始から０分後の血液であり、回収液とはカラム通過開始から６０分後の血液である
また細胞吸着材料として用いたビーズの径は校正されたノギスで測定した。径は、任意に選んだ10個のビーズについて、任意の方向の径を１回／個計測したときの平均値を指す。実施例中におけるビーズ吸着材料の体積は充填されたビーズ自体の全体積を表しており、嵩体積ではない。
さらにヒト血液を用いた本目的の炎症性疾患処置カラム（実カラム）サイズでの実験は倫理上困難であるため、ミニカラムを用いてスケールダウンして実施した。この際、実際の臨床で行われている体外循環が血流量３０ｍＬ／ｍｉｎであることを踏まえて、ミニカラムと実カラムの容積比に比例させて血流速を変更し、実験をおこなった。
（実施例１）
直径（＝２Ｒ）０．１ｍｍの酢酸セルロース製ビーズ吸着体０．２３７ｃｍ３（４５２４８８個）及び０．９重量％塩化ナトリウム水溶液を、上下に血液の出入り口のある内径０．８ｃｍ、長さ１ｃｍのポリカーボネート製ミニカラムに充填した。このカラムに、ヘパリンを添加（ヘパリン濃度：３０Ｕ／ｍｌ）した健常者ボランティアの血液にＬＰＳを７０Ｕ／ｍＬになるよう添加した血液を、３７℃、１時間、血流量０．６８ｍＬ／ｍｉｎで下から上の向きに室温で通過させた。この条件は直径０．１ｍｍの酢酸セルロース製ビーズ吸着体１０．４ｃｍ３（１９８６００００個）を２２．１ｃｍ３の容器に充填したカラムに血液を３０ｍＬ／ｍｉｎで通液させること（Ａ）に相当する。その後、血球計算機で０分後および６０分後の血液に残存する顆粒球数を測定し、吸着率を算出した。結果を表１に示す。
（実施例２）
直径１．０ｍｍの酢酸セルロース製ビーズ吸着体２．３７ｃｍ３（４５２５個）及び０．９重量％塩化ナトリウム水溶液を、上下に血液の出入り口のある内径０．８ｃｍ、長さ１０ｃｍのポリカーボネート製ミニカラムに充填した。このカラムに、ヘパリンを添加（ヘパリン濃度：３０Ｕ／ｍｌ）した健常者ボランティアの血液にＬＰＳを７０Ｕ／ｍＬになるよう添加した血液を、３７℃、１時間、血流量０．６８ｍＬ／ｍｉｎで下から上の向きに室温で通過させた。この条件は直径１．０ｍｍの酢酸セルロース製ビーズ吸着体１０４．０ｃｍ３（１９８６００個）を２２１ｃｍ３の容器に充填したカラムに血液を３０ｍＬ／ｍｉｎで通液させること（Ｂ）に相当する。その後、血球計算機で０分後および６０分後の血液に残存する顆粒球数を測定し、吸着率を算出した。結果を表１に示す。
（実施例３）
直径１．９ｍｍの酢酸セルロース製ビーズ吸着体４．５０ｃｍ３（１２５３個）及び０．９重量％塩化ナトリウム水溶液を、上下に血液の出入り口のある内径０．８ｃｍ、長さ１４．３ｃｍのポリカーボネート製ミニカラムに充填した。このカラムに、ヘパリンを添加（ヘパリン濃度：３０Ｕ／ｍｌ）した健常者ボランティアの血液にＬＰＳを７０Ｕ／ｍＬになるよう添加した血液を、３７℃、１時間、血流量０．６８ｍＬ／ｍｉｎで下から上の向きに室温で通過させた。この条件は直径１．９ｍｍの酢酸セルロース製ビーズ吸着体１９７．６ｃｍ３（５５０１３個）を３１５．５ｃｍ３の容器に充填したカラムに血液を３０ｍＬ／ｍｉｎで通液させること（Ｃ）に相当する。その後、血球計算機で０分後および６０分後の血液に残存する顆粒球数を測定し、吸着率を算出した。結果を表１に示す。
【００２０】
実施例１〜３から、ビーズ状細胞吸着材料の径（＝２Ｒ）と容器に充填する最低限必要なビーズ状細胞吸着材料の個数（Ｎ）との関係は以下のように表されることを見出した。
【００２１】
Ｎ≧４９６５０／Ｒ２
ただし、Ｒの単位はｍｍとする。またこの式から導き出された個数を納めることのできる充填容器の容量は、径が０．１以上２．０ｍｍ未満のときに必要な容器の容量であることから、２２．１ｃｍ３以上３１５．５ｃｍ３以下となる。
（比較例１）
直径２．１ｍｍの酢酸セルロース製ビーズ吸着体４．５３ｃｍ３（９３４個）及び０．９重量％塩化ナトリウム水溶液を、上下に血液の出入り口のある内径０．８ｃｍ、長さ１４．３ｃｍのポリカーボネート製ミニカラムに充填した。このカラムに、ヘパリン採血（ヘパリン濃度：３０Ｕ／ｍｌ）した健常者ボランティアの血液にＬＰＳを７０Ｕ／ｍＬになるよう添加した血液を、３７℃、１時間、血流量０．６８ｍＬ／ｍｉｎで下から上の向きに室温で通過させた。この条件は直径２．１ｍｍの酢酸セルロース製ビーズ吸着体１９８．８ｃｍ３（４１０００個）を３１５．５ｃｍ３の容器に充填したカラムに血液を３０ｍＬ／ｍｉｎで通液させること（Ｄ）に相当する。その後、血球計算機で０分後および６０分後の血液に残存する顆粒球数を測定し、吸着率を算出した。結果を表１に示す。
ビーズ径が２．１ｍｍである場合は、３１５．５ｃｍ３の容器を用いたとしても細胞吸着率は３０％に届かないことがわかった。
【００２２】
【表１】
2008206753.tif 000002